(57)【要約】
【課題】  導電端子がコネクタ本体に強固に固定されたコネクタを提供すること。
【解決手段】  コネクタ本体と、コネクタ本体内に設置された導電端子４０とを備え、導電端子４０は、その一端に形成されてコネクタの導電部となる接触部４１と、歯状を呈する固定部４２と、中央部分から突出する突起部４４と、コネクタ本体の形状に合わせて延長された延長部４５とが一体に成形されて成り、固定部４２がコネクタ本体に食い込むと共に、突起部４４がコネクタ本体に係合することにより、導電端子４０がコネクタ本体に固定される。
【選択図】          図４
0003100979.tif 000002
【実用新案登録請求の範囲】
【請求項１】
コネクタ本体と、該コネクタ本体内に設置された導電端子とを備え、該導電端子は、その一端に形成されてコネクタの導電部となる接触部と、歯状を呈する固定部と、中央部分から突出する突起部と、前記コネクタ本体の形状に応じて延長された延長部とが一体に成形されて成り、前記固定部が前記コネクタ本体に食い込むと共に、前記突起部が前記コネクタ本体に係合することにより、前記導電端子が前記コネクタ本体に固定されたことを特徴とするコネクタ。
【請求項２】
前記導電端子の中間部に補強用の湾曲部が形成された請求項１に記載のコネクタ。
【請求項３】
前記導電端子が金属材料から成る請求項１又は２に記載のコネクタ。
【請求項４】
前記コネクタ本体は、絶縁素材より成る壁で囲まれ、電子機器と接続可能な接続口と、他の電子機器へ接続固定するための少なくとも一つの連結部とを有し、該接続口の内面に複数の前記導電端子を設置するための複数の導電端子溝が形成された請求項１乃至３のいずれかに記載のコネクタ。
【請求項５】
前記連結部に、前記導電端子を取り付けるための複数のスライド溝が形成された請求項４に記載のコネクタ。
【請求項６】
前記導電端子の接触部及び突起部が前記スライド溝に係合された請求項５に記載のコネクタ。
【考案の詳細な説明】
【技術分野】
【０００１】
本考案は、コネクタに関する。
【背景技術】
【０００２】
コネクタは、あらゆる電気機器に用いられており、全ての電子信号を繋ぐ架け橋であるため、その品質の善し悪しは電流や信号伝送の信頼性に影響するだけでなく、電子機器全体の作業性に影響を与える。特に、コネクタの導電端子部分は機器全体の作業に関わるため、導電接触面及びコネクタ接続部分の強度と構造は重要な問題となる。
また、コンピュータコネクタについては、一般的に入出力コネクタと、相互コネクタ（Ｉｎｔｅｒｃｏｎｎｅｃｔｉｏｎ）の二種類に分類される。入出力コネクタは、コンピュータのメインシステムと、マウス、キーボード、プリンタ、イメージング装置等の周辺機器との信号伝送、及び、ネットワークシステム間の信号伝送に用いられ、円形コネクタ、角形コネクタ、同軸コネクタ等がある。
【０００３】
相互コネクタは、メインシステムと周辺機器に用いられ、電子部品のインストールと各システム内各モジュール間の電気信号の伝送を行う。また、相互コネクタには、集積回路ソケット、プリント基板用コネクタ、フラットケーブル等がある。
そして、製品の小型化と精密化が求められる市場トレンドにおいて、コネクタもさらに精良化が必要とされ、故障のない、メインテナンス必要がない高品質な製品が求められ、コネクタの導電端子も、これに応じて、より良いものが必要とされている。
【０００４】
従来、図１乃至図３に示すようなコネクタが知られている（特許文献１）。
コネクタ１０は、絶縁体１２と、それぞれ絶縁体１２の内部空間に設置された信号端子１１及び接地端子１３とを備え（図１）、信号端子１１と接地端子１３は、その材質及び形状から得られる変形時の応力により絶縁体１２に固定される。
信号端子１１及び接地端子１３は、図２及び図３に示すように、Ｕ字状部１４と、このＵ字状部１４に接続された延長部１５と、歯状を呈する固定部１６と、導電端となる接触部１７とを有する。Ｕ字状部１７及び延長部１５は絶縁体１２の内部に設置され、固定部１６は絶縁体１２に食い込み、接触部１７は外部電源又は他のコネクタに接続される。
このような従来の導電端子は、プレス成形により、全体形状を打ち抜いた後、さらに湾曲させてあるので、湾曲部分に不安定な内部応力が発生し、予期しない外力が働くと破損する虞がある。また、固定部１６の食い込みによる固定だけでは、導電端子が脱落する心配がある。
【０００５】
【特許文献１】台湾特許第５０９４０６号明細書
【考案の開示】
【考案が解決しようとする課題】
【０００６】
本考案が解決しようとする課題は、導電端子がコネクタ本体に強固に固定されたコネクタを提供することにある。
【課題を解決するための手段】
【０００７】
本考案のコネクタは、コネクタ本体と、該コネクタ本体内に設置された導電端子とを備え、該導電端子は、その一端に形成されてコネクタの導電部となる接触部と、歯状を呈する固定部と、中央部分から突出する突起部と、前記コネクタ本体の形状に応じて延長された延長部とが一体に成形されて成り、前記固定部が前記コネクタ本体に食い込むと共に、前記突起部が前記コネクタ本体に係合することにより、前記導電端子が前記コネクタ本体に固定されている。
【０００８】
本発明のコネクタは、以下の構成を有することがある。
前記導電端子の中間部に補強用の湾曲部が形成された構成。
前記導電端子が金属材料から成る構成。
前記コネクタ本体は、絶縁素材より成る壁で囲まれ、電子機器と接続可能な接続口と、他の電子機器へ接続固定するための少なくとも一つの連結部とを有し、該接続口の内面に複数の前記導電端子を設置するための複数の導電端子溝が形成された構成。
前記連結部に、前記導電端子を取り付けるための複数のスライド溝が形成された構成。
前記導電端子の接触部及び突起部が前記スライド溝に係合された構成。
【考案の効果】
【０００９】
本考案によれば、導電端子が、歯状の固定部と突起部との複数個所においてコネクタ本体に固定してあるため、強固に固定されて脱落しにくい。
【考案を実施するための最良の形態】
【００１０】
以下、本考案の実施例を図面に基づいて詳細に説明する。
本考案のコネクタは、図１２乃至図１４に示すように、コネクタ本体１２０と、複数の導電端子４０，５０とを備える。
コネクタ本体１２０は、図１２に示すように、絶縁素材より成る壁１２５で囲まれ、電子機器へ接続可能な接続口１２７と、他の電子機器へ接続するための少なくとも一つの（図に示す例では二つの）連結部１２２とを有する。
接続口１２７の内面には複数の導電端子を嵌合するための複数の導電端子溝１２３が形成され、導電端子溝１２３に嵌合された導電端子を介して、接続口１２７へ接続された電子機器との間で電気信号を伝送しあうようになっている。
【００１１】
連結部１２２は、接続口１２７の両端に設けられ、その外側下部には、コネクタを他の電子機器へ接続するための固定具１２１が装着される。固定具１２１の端部は連結部１２２から側方へ張り出して、他の電子機器に固定されるようになっている。
また、図１３及び図１４に示すように、連結部１２２の側面（接続口１２７寄りの側面）には、導電端子４０を取り付けるための第１のスライド溝１３１及び第２のスライド溝１３２と、導電端子５０を取り付けるための第３のスライド溝１３３及び第４のスライド溝１３４が、それぞれ奥行き方向に沿って互いに平行に形成されている。
【００１２】
図４に示すように、導電端子４０（第１の実施態様）は、金属を素材とし、その一端に形成されてコネクタの導電部となる接触部４１と、歯状を呈する固定部４２と、補強用の湾曲部４３と、中央部分から突出する突起部４４と、コネクタ本体１２０の連結部１２２の形状に応じて延長された延長部４５と、他端に設けられた屈曲部４６とが一体にモールド成形されて成る。
導電端子４０は、モールド成型されているので、プレス加工で湾曲させたもののように不安定な内部応力を持たず、このため、外力によって破損しにくい。
【００１３】
接触部４１は、真っ直ぐな棒状に形成され、その基部寄り両側面に歯状凹凸が形成されて固定部４２となっている。
湾曲部４３は接触部４１の基部から下方へ向かって屈曲されると共に、一側へ凸に湾曲しており、接触部４３に対してほぼ直角に延びる延長部４５に続いている。
突起部４４は、延長部４５の上端部から接触部４１と同方向に平行に突出し、屈曲部４６は、鉛直部４５の下端を突起部４４と逆向きに屈曲してある。
【００１４】
そして、図１３及び図１４に示すように、接触部４１を連結部１２２の第１のスライド溝１３１に挿入すると共に、固定部４２を第１のスライド溝１３１の内面に食い込ませ、突起部４４を第２のスライド溝１３２に差し込むことにより、導電端子４０をコネクタ本体１２０に固定してある。
なお、導電端子４０は金属材料より成るので、一定の弾力を備えており、コネクタ本体１２０に差し込んで固定しやすい。
【００１５】
図５に示すように、導電端子５０（第２の実施態様）は、金属をモールド成形して成り、導電端子４０の湾曲部４１，接触部４２，湾曲部４３と同様の接触部５１，固定部５２及び湾曲部５３を有する。
湾曲部５３の下端には、接触部５１と同方向に延びる延長部５５が形成され、延長部５５の先端に突起部５４が形成される。
また、延長部５５の先端寄りから下方に屈曲し、さらに突起部５４と平行に延びる屈曲部５６が形成される。
そして、図１３及び図１４に示すように、接触部５１を連結部１２２の第３のスライド溝１３３に挿入して、固定部５２を第３のスライド溝１３３の内面に食い込ませ、突起部５４を第４のスライド溝１３４に差し込むことにより、導電端子５０をコネクタ本体１２０の連結部１２２に固定する。
【００１６】
図６〜図１１は、コネクタ本体の構造が異なる場合に、これに応じて様々に変化した導電端子の実施形態を示す。なお、以下の全ての実施態様において、導電端子は金属材料をモールド成形したものである。
図６は、第３の実施形態である導電端子６０を示す。
接触部６１の先端部は下方に凸に湾曲しており、湾曲部６３の下端には比較的短い延長部６５が接触部６１に対して直角に形成され、延長部６５の中間から、接触部６１と対向する突起部６４が突設されている。
この導電端子６０の接触部６１及び突起部６４をコネクタ本体に差し込むと、接触部６１の先端部が突起部６４に接近するよう湾曲しているので、接触部６１と突起部６４とでコネクタ本体を挟み付けて強固に固定することができる。
導電端子６０の固定部６２及び屈曲部６６の構造は、導電端子４０の固定部４２及び屈曲部４６とほぼ同様である。
【００１７】
図７は、第４の実施形態である導電端子７０を示す。
導電端子７０の接触部７１は上方に凸に湾曲しており、この接触部７１がコネクタ本体に挿入されて、接触部７１の頂部上面が導電部となっている。従って、他のコネクタの端子を接触部７１の上方へ差し込むと、端子が接触部７１の頂部とコネクタ本体とに挟まれて、確実な導電状態を得ることができる。
導電端子７０の固定部７２，湾曲部７３，延長部７５及び屈曲部７６の構造は、導電端子６０とほぼ同様であるが、突起部７４は挟持機能を持たないので、導電端子６０の突起部６４に比べて短く形成する。。
【００１８】
図８は、第５の実施態様である導電端子８０を示す。
接触部８１の先端部は下方に凸に湾曲しており、この接触部８１がコネクタ本体に挿入されて、接触部８１の頂部下面が導電部となっている。他のコネクタの端子を接触部８１の下方へ差し込むと、端子が接触部８１の頂部とコネクタ本体とに挟まれて、確実な導電状態を得ることができる。
導電端子８０の固定部８２，湾曲部８３，突起部８４，延長部８５及び屈曲部８６の構造は、導電端子７０とほぼ同様である。
【００１９】
図９は、第６の実施態様である導電端子９０を示す。
接触部９１に対して直角に延びる延長部９５の中間から、接触部９１と同方向にほぼ同じ長さの突起部９４を突出し、延長部の下端から、接触部９１及び突起部９４と同方向にこれより短い屈曲部９６を突出してある。
導電端子９０の接触部９１，固定部９２及び湾曲部９３の構造は、導電端子４０とほぼ同様である。
【００２０】
図１０は、第７の実施態様である導電端子１００を示す。
この導電端子１００の接触部１０１は、導電端子８０の接触部８１と同じ構成及び作用を有し、導電端子１００の固定部１０２，湾曲部１０３，突起部１０４，延長部１０５及び屈曲部１０６は、導電端子９０とほぼ同じ構造である。
【００２１】
図１１は、第８の実施態様である導電端子１１０を示す。
導電端子１１０の接触部１１１は、導電端子７０とほぼ同じ構成及び作用を有し、導電端子１１０の固定部１１２，湾曲部１１３，突起部１１４，延長部１１５及び屈曲部１１６は、導電端子９０とほぼ同じ構造である。
なお、図１２に示すコネクタ本体１２０の導電端子溝１２３には、導電端子４０，５０，６０，７０，８０，９０，１００，１１０の内、最適な形状のものを嵌合して取り付けることができる。
【図面の簡単な説明】
【００２２】
【図１】従来のコネクタの断面図。
【図２】従来の信号端子の斜視図。
【図３】従来の接地端子の斜視図。
【図４】本考案に係る導電端子の第１の実施態様を示す斜視図。
【図５】本考案に係る導電端子の第２の実施態様を示す斜視図。
【図６】本考案に係る導電端子の第３の実施態様を示す斜視図。
【図７】本考案に係る導電端子の第４の実施態様を示す斜視図。
【図８】本考案に係る導電端子の第５の実施態様を示す斜視図。
【図９】本考案に係る導電端子の第６の実施態様を示す斜視図。
【図１０】本考案に係る導電端子の第７の実施態様を示す斜視図。
【図１１】本考案に係る導電端子の第８の実施態様を示す斜視図。
【図１２】本考案に係るコネクタ本体の斜視図。
【図１３】連結部及び導電端子の分解斜視図。
【図１４】導電端子が装着された連結部の斜視図。
【符号の説明】
【００２３】
４０，５０，６０，７０，８０，９０，１００，１１０  導電端子
４１，５１，６１，７１，８１，９１，１０１，１１１  接触部
４２，５２，６２，７２，８２，９２，１０２，１１２  固定部
４３，５３，６３，７３，８３，９３，１０３，１１３  湾曲部
４４，５４，６４，７４，８４，９４，１０４，１１４  突起部
４５，５５，６５，７５，８５，９５，１０５，１１５  延長部
４６，５６，６６，７６，８６，９６，１０６，１１６  屈曲部
１２０  コネクタ本体
１２１  固定具
１２２  連結部
１２３  導電端子溝
１２５  壁
１２７  接続口
１３１  第１のスライド溝
１３２  第２のスライド溝
１３３  第３のスライド溝
１３４  第４のスライド溝
【図１】
0003100979.tif 000003
【図２】
0003100979.tif 000004
【図３】
0003100979.tif 000005
【図４】
0003100979.tif 000006
【図５】
0003100979.tif 000007
【図６】
0003100979.tif 000008
【図７】
0003100979.tif 000009
【図８】
0003100979.tif 000010
【図９】
0003100979.tif 000011
【図１０】
0003100979.tif 000012
【図１１】
0003100979.tif 000013
【図１２】
0003100979.tif 000014
【図１３】
0003100979.tif 000015
【図１４】
0003100979.tif 000016